(57)【特許請求の範囲】
【請求項１】
第１の映像信号に相当する背景映像の所定の領域に、第２の映像信号に相当する前景映像を合成する画像処理装置において、
前記第１の映像信号を入力する入力手段と、
複数の映像信号を供給する供給手段と、
前記供給手段が供給した前記複数の映像信号のうち、１つの前記映像信号を前記第２の映像信号として選択する第１の選択手段と、
前記供給手段が供給した前記複数の映像信号のうち、１つの前記映像信号をキーソース信号として選択する第２の選択手段と、
前記背景映像の全領域のうち、前記キーソース信号に基づいて指定される領域が前記前景映像で置換されるように、前記第１の映像信号と前記第２の映像信号を合成して合成映像信号を生成する合成手段と、
ユーザの操作を受け付けて、前記ユーザの操作に対応するボタン番号を発生するボタン番号発生手段と、
前記ボタン番号とインデックス番号との対応付けを記憶する第１の対応テーブルを参照して、前記ボタン番号に対応する前記インデックス番号を発生するインデックス番号発生手段と、
前記インデックス番号と第１および第２の供給情報との対応付けを記憶する第２の対応テーブルを参照して、前記インデックス番号に対応する前記第１および第２の供給情報を取得する取得手段と、
前記第１の供給情報に従って前記第１の選択手段を制御し、前記第２の供給情報に従って前記第２の選択手段を制御する選択制御手段と
を含むことを特徴とする画像処理装置。
【請求項２】
前記取得手段は、前記インデックス番号とキーイング属性との対応付けを記憶する第３の対応テーブルを参照して、前記インデックス番号に対応する前記キーイング属性も取得し、
前記制御手段は、前記キーイング属性に従って前記合成手段も制御する
ことを特徴とする請求項１に記載の画像処理装置。
【請求項３】
前記キーイング属性は、キーイング濃度、キーイング判別値、境界線種別、オフセット値、および境界のぼかし設定のうちの少なくとも１つを含む
ことを特徴とする請求項２に記載の画像処理装置。
【請求項４】
前記供給手段が供給した前記複数の映像信号のうち、１つの前記映像信号を前記第１の映像信号として選択する第３の選択手段をさらに含み、
前記制御手段は、前記第１の供給情報に従って前記第３の選択手段も制御する
ことを特徴とする請求項１に記載の画像処理装置。
【請求項５】
前記ボタン番号発生手段は、前記キーソース信号と前記第２の映像信号との組合せを選択するための複数のボタンからなるキーボタン列と、前記第１の映像信号を選択するための複数のボタンからなる背景ボタン列から構成される
ことを特徴とする請求項１に記載の画像処理装置。
【請求項６】
前記キーボタン列と前記背景ボタン列は平行に配置され、かつ、隣接する前記第１のボタン列をなす前記ボタンと前記第２のボタン列をなす前記ボタンは、同一の前記ボタン番号に対応する
ことを特徴とする請求項５に記載の画像処理装置。
【請求項７】
前記第１の対応テーブルが記憶する前記ボタン番号と前記インデックス番号との対応付けを変更する第１の変更手段と、
前記第２の対応テーブルが記憶する前記インデックス番号と前記第１および第２の供給情報との対応付けを変更する第２の変更手段と
をさらに含むことを特徴とする請求項１に記載の画像処理装置。
【請求項８】
第１の映像信号に相当する背景映像の所定の領域に、第２の映像信号に相当する前景映像を合成する画像処理装置の画像処理方法において、
前記第１の映像信号を入力する入力ステップと、
複数の映像信号を供給する供給ステップと、
前記供給ステップの処理で供給された前記複数の映像信号のうち、１つの前記映像信号を前記第２の映像信号として選択する第１の選択ステップと、
前記供給ステップの処理で供給された前記複数の映像信号のうち、１つの前記映像信号をキーソース信号として選択する第２の選択ステップと、
前記背景映像の全領域のうち、前記キーソース信号に基づいて指定される領域が前記前景映像で置換されるように、前記第１の映像信号と前記第２の映像信号を合成して合成映像信号を生成する合成ステップと、
ユーザの操作を受け付けて、前記ユーザの操作に対応するボタン番号を発生するボタン番号発生ステップと、
前記ボタン番号とインデックス番号との対応付けを記憶する第１の対応テーブルを参照して、前記ボタン番号に対応する前記インデックス番号を発生するインデックス番号発生ステップと、
前記インデックス番号と第１および第２の供給情報との対応付けを記憶する第２の対応テーブルを参照して、前記インデックス番号に対応する前記第１および第２の供給情報を取得する取得ステップと、
前記第１の供給情報に従って前記第１の選択ステップの処理を制御し、前記第２の供給情報に従って前記第２の選択ステップの処理を制御する選択制御ステップと
を含むことを特徴とする画像処理方法。
【請求項９】
第１の映像信号に相当する背景映像の所定の領域に、第２の映像信号に相当する前景映像を合成する画像処理用のプログラムであって、
前記第１の映像信号を入力する入力ステップと、
複数の映像信号を供給する供給ステップと、
前記供給ステップの処理で供給された前記複数の映像信号のうち、１つの前記映像信号を前記第１の映像信号として選択する第２の選択ステップと、
前記供給ステップの処理で供給された前記複数の映像信号のうち、１つの前記映像信号をキーソース信号として選択する第２の選択ステップと、
前記背景映像の全領域のうち、前記キーソース信号に基づいて指定される領域が前記前景映像で置換されるように、前記第１の映像信号と前記第２の映像信号を合成して合成映像信号を生成する合成ステップと、
ユーザの操作を受け付けて、前記ユーザの操作に対応するボタン番号を発生するボタン番号発生ステップと、
前記ボタン番号とインデックス番号との対応付けを記憶する第１の対応テーブルを参照して、前記ボタン番号に対応する前記インデックス番号を発生するインデックス番号発生ステップと、
前記インデックス番号と第１および第２の供給情報との対応付けを記憶する第２の対応テーブルを参照して、前記インデックス番号に対応する前記第１および第２の供給情報を取得する取得ステップと、
前記第１の供給情報に従って前記第１の選択ステップの処理を制御し、前記第２の供給情報に従って前記第２の選択ステップの処理を制御する選択制御ステップと
を含むことを特徴とするコンピュータが読み取り可能なプログラムが記録されている記録媒体。
【発明の詳細な説明】
【０００１】
【発明の属する技術分野】
本発明は、画像処理装置および方法、並びに記録媒体に関し、特に、キーソース信号に従って複数の映像を合成する場合に用いて好適な画像処理装置および方法、並びに記録媒体に関する。
【０００２】
【従来の技術】
複数の映像を合成する技術として、キーソース信号を用いるキーイング合成処理が知られている。
【０００３】
キーイング合成処理を行う装置には、少なくとも背景映像信号、キーソース信号（キーイング信号とも称される）、およびキーフィル(key fill)信号（以下、前景映像とも記述する）の３種類の映像信号が供給される。
【０００４】
キーイング合成処理は、例えば、図１（Ａ）に示す背景映像の全領域のうち、図１（Ｂ）に示すキーソース信号に基づいて指定される領域に、図１（Ｃ）に示すキーフィル信号の前景映像をはめ込むことによって、図１（Ｄ）に示すような合成映像を生成する特殊効果技術である。
【０００５】
図１から明らかなように、キーイング合成処理によって得られる合成映像の全領域のうち、キーソース信号の信号レベルが所定の閾値以下の領域（図１（Ｂ）の斜線で占められた領域）に相当する領域には背景映像が用いられ、キーソース信号の信号レベルが所定の閾値よりも大きい領域（図１（Ｂ）の白い領域）に相当する領域には前景映像が用いられる。
【０００６】
なお、背景映像信号、キーソース信号、およびキーフィル信号は、同一形式の映像信号であり、同一形式の映像信号は背景映像信号、キーソース信号、またはキーフィル信号のいずれの用途にも使用することが可能である。
【０００７】
ところで、本出願人は既に、キーイング合成処理に関する技術として、複数のキーソース信号と複数のキーフィル信号がそれぞれ入力可能とされており、複数のキーフィル信号の中から１つのキーフィル信号を選択するユーザの操作に追従して、複数のキーソース信号の中から予め設定されている最適なキーソース信号を自動的に選択して用いることができる装置についての発明を、特開平１１−２７５７６号（以下、先願と記述する）として提案済みである。
【０００８】
先願に記載の装置によれば、例えば、図２（Ａ）に示す背景映像に合成する前景映像として、図２（Ｅ）に示すキーフィル信号をユーザが選択した場合、図２（Ｂ）に示すキーソース信号が自動的に選択されるようになされており、図２（Ｈ）に示すような合成映像を得ることが可能である。
【０００９】
【発明が解決しようとする課題】
しかしながら、先願に記載の装置では、１つのキーフィル信号に対応するキーソース信号の組合せは１種類に限られており、同一のキーフィル信号に異なる複数のキーソース信号をそれぞれ対応付けた複数の組合せを設定することができない課題があった。
【００１０】
例えば、図２（Ｊ）に示すような合成映像を生成させる場合、ユーザが、図２（Ａ）に示す背景映像、図２（Ｃ）に示すキーソース信号、および図２（Ｅ）に示す前景映像（または図２（Ｆ）に示す前景映像）をそれぞれ選択する必要があり、速やかに合成映像を生成させることができない課題があった。
【００１１】
また例えば、図２（Ａ）に示す背景映像と図２（Ｇ）に示す前景映像を合成して、図２（Ｋ）に示す合成映像や図２（Ｌ）に示す合成映像を生成させる場合、ユーザが、図２（Ｂ）に示すキーソース信号、または図２（Ｄ）に示すキーソース信号をその都度選択しなければならず、速やかに合成映像を生成させることができない課題があった。
【００１２】
さらに、先願に記載の装置では、入力される複数の映像信号の中から用いる映像信号を自動的に選択することが可能であるが、選択した映像信号を合成する処理の制御には別途ユーザの操作が必要となるので、ユーザが複数の操作をしている過程において、意図しない合成映像を生成してしまう事態が発生し得る課題があった。
【００１３】
本発明はこのような状況に鑑みてなされたものであり、ユーザの選択に対応して自動的に設定されるキーフィル信号とキーソース信号の組合せの選択肢を増加させるとともに、その選択を容易な操作で実行できるようにすることを目的とする。
【００１４】
【課題を解決するための手段】
本発明の画像処理装置は、第１の映像信号を入力する入力手段と、複数の映像信号を供給する供給手段と、供給手段が供給した複数の映像信号のうち、１つの映像信号を第２の映像信号として選択する第１の選択手段と、供給手段が供給した複数の映像信号のうち、１つの映像信号をキーソース信号として選択する第２の選択手段と、背景映像の全領域のうち、キーソース信号に基づいて指定される領域が前景映像で置換されるように、第１の映像信号と第２の映像信号を合成して合成映像信号を生成する合成手段と、ユーザの操作を受け付けて、ユーザの操作に対応するボタン番号を発生するボタン番号発生手段と、ボタン番号とインデックス番号との対応付けを記憶する第１の対応テーブルを参照して、ボタン番号に対応するインデックス番号を発生するインデックス番号発生手段と、インデックス番号と第１および第２の供給情報との対応付けを記憶する第２の対応テーブルを参照して、インデックス番号に対応する第１および第２の供給情報を取得する取得手段と、第１の供給情報に従って第１の選択手段を制御し、第２の供給情報に従って第２の選択手段を制御する選択制御手段とを含むことを特徴とする。
【００１５】
前記取得手段には、インデックス番号とキーイング属性との対応付けを記憶する第３の対応テーブルを参照して、インデックス番号に対応するキーイング属性も取得させることができ、前記制御手段には、キーイング属性に従って合成手段も制御させるようにすることができる。
【００１６】
本発明の画像処理装置は、供給手段が供給した複数の映像信号のうち、１つの映像信号を第１の映像信号として選択する第３の選択手段をさらに含むことができ、前記制御手段には、第１の供給情報に従って第３の選択手段も制御させるようにすることができる。
【００１７】
本発明の画像処理装置は、第１の対応テーブルが記憶するボタン番号とインデックス番号との対応付けを変更する第１の変更手段と、第２の対応テーブルが記憶するインデックス番号と第１および第２の供給情報との対応付けを変更する第２の変更手段とをさらに含むことができる。
【００１８】
本発明の画像処理方法は、第１の映像信号を入力する入力ステップと、複数の映像信号を供給する供給ステップと、供給ステップの処理で供給された複数の映像信号のうち、１つの映像信号を第２の映像信号として選択する第１の選択ステップと、供給ステップの処理で供給された複数の映像信号のうち、１つの映像信号をキーソース信号として選択する第２の選択ステップと、背景映像の全領域のうち、キーソース信号に基づいて指定される領域が前景映像で置換されるように、第１の映像信号と第２の映像信号を合成して合成映像信号を生成する合成ステップと、ユーザの操作を受け付けて、ユーザの操作に対応するボタン番号を発生するボタン番号発生ステップと、ボタン番号とインデックス番号との対応付けを記憶する第１の対応テーブルを参照して、ボタン番号に対応するインデックス番号を発生するインデックス番号発生ステップと、インデックス番号と第１および第２の供給情報との対応付けを記憶する第２の対応テーブルを参照して、インデックス番号に対応する第１および第２の供給情報を取得する取得ステップと、第１の供給情報に従って第１の選択ステップの処理を制御し、第２の供給情報に従って第２の選択ステップの処理を制御する選択制御ステップとを含むことを特徴とする。
【００１９】
本発明の記憶媒体のプログラムは、第１の映像信号を入力する入力ステップと、複数の映像信号を供給する供給ステップと、供給ステップの処理で供給された複数の映像信号のうち、１つの映像信号を第２の映像信号として選択する第１の選択ステップと、供給ステップの処理で供給された複数の映像信号のうち、１つの映像信号をキーソース信号として選択する第２の選択ステップと、背景映像の全領域のうち、キーソース信号に基づいて指定される領域が前景映像で置換されるように、第１の映像信号と第２の映像信号を合成して合成映像信号を生成する合成ステップと、ユーザの操作を受け付けて、ユーザの操作に対応するボタン番号を発生するボタン番号発生ステップと、ボタン番号とインデックス番号との対応付けを記憶する第１の対応テーブルを参照して、ボタン番号に対応するインデックス番号を発生するインデックス番号発生ステップと、インデックス番号と第１および第２の供給情報との対応付けを記憶する第２の対応テーブルを参照して、インデックス番号に対応する第１および第２の供給情報を取得する取得ステップと、第１の供給情報に従って第１の選択ステップの処理を制御し、第２の供給情報に従って第２の選択ステップの処理を制御する選択制御ステップとを含むことを特徴とする。
【００２０】
本発明の画像処理装置および方法、並びに記憶媒体のプログラムにおいては、第１の映像信号が入力され、複数の映像信号が供給される。また、供給された複数の映像信号のうち、１つの映像信号が第２の映像信号として選択され、供給された複数の映像信号のうち、１つの映像信号がキーソース信号として選択される。さらに、背景映像の全領域のうち、キーソース信号に基づいて指定される領域が前景映像で置換されるように、第１の映像信号と第２の映像信号が合成されて合成映像信号が生成される。さらに、ユーザの操作が受け付けられて対応するボタン番号が発生され、第１の対応テーブルが参照されてボタン番号に対応するインデックス番号が発生され、第２の対応テーブルが参照されてインデックス番号に対応する第１および第２の供給情報が取得され、第１の供給情報に従って第１の選択処理が制御され、第２の供給情報に従って第２の選択処理が制御される。
【００２１】
【発明の実施の形態】
図３は、本発明を適用した映像合成装置の第１の構成例を示している。この映像合成装置１０は、キーソース信号またはキーフィル信号となる映像信号が入力される入力ラインＬ１乃至Ｌ９、制御部１８からの制御に従ってスイッチングし、入力ラインＬ１乃至Ｌ９に入力される映像信号のうちの１つを合成加工処理部１４に供給するキーソース信号選択入力バス１１、制御部１８からの制御に従ってスイッチングし、入力ラインＬ１乃至Ｌ９に入力される映像信号のうちの１つを合成加工処理部１４に供給するキーフィル信号選択入力バス１２、入力される背景映像信号を合成加工処理部１４に供給する背景映像信号入力バス１３、および、制御部１８からの制御に従い、キーソース信号選択入力バス１１から入力される映像信号をキーソース信号とし、キーフィル信号選択入力バス１２から供給される映像信号をキーフィル信号として合成映像を生成する合成加工処理部１４から構成される。
【００２２】
また、映像合成装置１０は、キーソース信号とキーフィル信号の組合せを選択するユーザの操作を受け付ける複数のボタンより成り、押下されたボタンを示すボタン番号を選択入力部１６に通知するキーボタン列１５、内蔵するボタン対応テーブル１７を参照し、キーボタン列１５からのボタン番号に対応するインデックス番号を取得して制御部１８に通知する選択入力部１６、および、ドライブ２０を制御して磁気ディスク２１、光ディスク２２、光磁気ディスク２３、または半導体メモリ２４に記憶されている制御用プログラムを読み出させ、制御用プログラム等に基づいて映像合成装置１０の全体を制御する制御部１８から構成される。
【００２３】
例えば、制御部１８は、内蔵する入力組合せテーブル１９を参照して、選択入力部１６から通知されるインデックス番号に対応する入力ライン番号を取得し、入力ライン番号に基づきキーソース信号選択入力バス１１およびキーフィル信号選択入力バス１２のスイッチングを制御する。
【００２４】
なお、キーボタン列１５を構成するボタンの数は、図３に示すように１１個に限定されるものではなく、より多い数のボタンによりキーボタン列１５を構成するようにしてもよいし、反対に、より少ない数のボタンによりキーボタン列１５を構成するようにしてもよい。
【００２５】
また、キーボタン列１５と選択入力部１６の組を、複数設けるようにしてもよい。
【００２６】
図４は、選択入力部１６が内蔵するボタン対応テーブル１７の一例を示している。ボタン対応テーブル１７には、キーボタン列１５から通知されるボタン番号に対応するインデックス番号が記録されている。例えば、ボタン番号「４」には、インデックス番号「４」が対応付けて記録されており、ボタン番号「５」には、インデックス番号「１１」が対応付けて記録されている。
【００２７】
図５は、制御部１８が内蔵する入力組合せテーブル１９の一例を示している。入力組合せテーブル１９には、選択入力部１６から通知されるインデックス番号に対応する第１および第２の入力ライン番号が記録されている。例えば、インデックス番号「５」には、第１の入力ライン番号「Ｌ５」と第２の入力ライン番号「Ｌ５」が対応付けて記録されており、インデックス番号「６」には、第１の入力ライン番号「Ｌ１」と第２の入力ライン番号「Ｌ６」が対応付けて記録されている。
【００２８】
第１の入力ライン番号は、キーフィル信号選択入力バス１２をスイッチングさせるための情報であり、第２の入力ライン番号は、キーソース信号選択入力バス１１をスイッチングさせるための情報である。
【００２９】
図５の例では、インデックス番号「１」に対応する第１の入力ライン番号と、インデックス番号「６」に対応する第１の入力ライン番号が同一の「Ｌ１」であるが、第２の入力ライン番号はそれぞれ異なっている。このように、映像合成装置１０の入力組合せテーブル１９には、同一のキーフィル信号に対して、異なるキーソース信号が対応付けられた複数の組合せが用意されており、キーボタン列１５に対する操作により選択することが可能である。
【００３０】
また、インデックス番号「８」に対応する第２の入力ライン番号と、インデックス番号「９」に対応する第２の入力ライン番号が同一の「Ｌ８」であるが、第１の入力ライン番号はそれぞれ異なっている。このように、同一のキーソース信号に対して、異なるキーフィル信号が対応付けられた複数の組合せも用意されている。
【００３１】
次に、映像合成装置１０の動作について、図６のフローチャートを参照して説明する。なお、入力ラインＬ１乃至Ｌ９には、キーソース信号またはキーフィル信号となる映像信号が供給されており、背景映像信号入力バス１３には、背景映像信号が供給されているものとする。
【００３２】
ステップＳ１において、選択入力部１６は、キーボタン列１５からのボタン番号の通知の有無に基づき、キーボタン列１５のいずれかのボタンが押下されたか否かを判定し、いずれかのボタンが押下されたと判定するまで待機する。いずれかのボタンが押下されたと判定された場合、処理はステップＳ２に進む。
【００３３】
例えば、キーボタン列１５の「５」番のボタンが押下されて、キーボタン列１５から選択入力部１６にボタン番号「５」が通知されたとして以降の説明を継続する。
【００３４】
ステップＳ２において、選択入力部１６は、内蔵するボタン対応テーブル１７を参照し、キーボタン列１５から通知されたボタン番号「５」に対応するインデックス番号「１１」を取得し、取得したインデックス番号「１１」を制御部１８に通知する。
【００３５】
ステップＳ３において、制御部１８は、内蔵する入力組合せテーブル１９を参照し、選択入力部１６から通知されたインデックス番号「１１」に対応する第１および第２の入力ライン番号を取得する。いまの場合、第１の入力ライン番号として「Ｌ５」が取得され、第２の入力ライン番号として「Ｌ９」が取得される。
【００３６】
ステップＳ４において、制御部１８は、ステップＳ３で取得した第１の入力ライン番号に基づいてキーフィル信号選択入力バス１２をスイッチングさせ、第２の入力ライン番号に基づいてキーソース信号選択入力バス１１をスイッチングさせる。
【００３７】
これにより、キーソース信号選択入力バス１１から合成加工処理部１４に供給されている映像信号が、入力ラインＬ９に入力されている映像信号に切り替えられ、キーフィル信号選択入力バス１２から合成加工処理部１４に供給されている映像信号が、入力ラインＬ５に入力されている映像信号に切り替えられる。
【００３８】
ステップＳ５において、合成加工処理部１４は、キーソース信号選択入力バス１１から供給された映像信号をキーソース信号とし、キーフィル信号選択入力バス１２から供給された映像信号をキーフィル信号として、キーソース信号に基づき、背景映像信号入力バス１３から入力された映像信号にキーフィル信号を合成して合成映像を生成し、出力ラインから後段のディスプレイ等（不図示）に出力する。処理はステップＳ１に戻り、それ以降の処理が繰り返される。
【００３９】
なお、ステップＳ４におけるキーソース信号選択入力バス１１のスイッチング、およびキーフィル信号選択入力バス１２のスイッチングは、映像信号の垂直帰線期間に実行させる。そのように制御することにより、１フィールドの映像に２つの異なる入力映像が混合することなく、乱れのない合成映像を生成することが可能となる。
【００４０】
ところで、インデックス番号は、第１のライン番号と第２のライン番号の組合せを示すものであり、その組合せの数は、キーボタン列１５に配置されたボタンの数よりもはるかに多い。そこで、キーボタン列１５と選択入力部１６の組を複数設ける場合には、複数の選択入力部１６には、それぞれ異なる内容のボタン対応テーブル１７を内蔵させるようにする。そのようにすれば、ユーザは、より多くの選択肢の中からキーソース信号とキーフィル信号の組合せを選択することが可能となる。
【００４１】
以上説明したように、映像合成装置１０によれば、ユーザは、１つのキーボタンを１回押下するだけで、キーフィル信号とキーソース信号の組合せを選択することができる。その際、選択可能な組合せの設定には制約がなく、例えば、同一のキーフィル信号に対し、複数の異なるキーソース信号を組み合わせることが可能である。
【００４２】
次に、図７は、本発明を適用した映像合成装置の第２の構成例を示している。この映像合成装置３０は、図３に示した映像合成装置１０の制御部１８に、さらに、キーイング属性記憶部３１を内蔵させたものであり、その他の構成要素は、映像合成装置１０の構成要素と同一であり、同じ符号を附しているので、それらの説明は省略する。
【００４３】
制御部１８が内蔵するキーイング属性記憶部３１は、図８に示すように、各インデックス番号に対応して設定されているキーイング属性（キーイング濃度、キーイング判別値、境界線種別等）の値を記憶する。
【００４４】
キーイング属性に含まれるキーイング濃度は、前景映像（キーフィル信号）の背景映像に対する濃度の比率を示す値である。
【００４５】
図９を参照して具体的に説明する。例えば、同図（Ａ）に示すような背景映像信号、同図（Ｂ）に示すようなキーソース信号、および同図（Ｃ）に示すようなキーフィル信号が合成加工処理部１４に供給されて、キーイング濃度が１００％である場合、キーソース信号によって指定される領域は前景映像だけで構成されて、同図（Ｄ）に示すような合成映像が生成される。キーイング濃度が５０％である場合、キーソース信号によって指定される領域は、背景映像と前景映像とが５０％ずつ混合されて構成され、同図（Ｅ）に示すような合成映像が生成される。
【００４６】
キーイング属性に含まれるキーイング判別値は、キーソース信号とされる映像信号の閾値を指定する値である。例えば、キーイング判別値が５０％である場合、キーソース信号とされる映像信号の信号レベルの最小値と最大値の中間の値が閾値とされる。
【００４７】
キーイング属性に含まれる境界線種別は、前景映像と背景映像の画面上における境界に沿って線を描画するか否かを示し、かつ、線を描画する場合における線の種類を示す値である。例えば、境界線種別が０である場合、境界線は描画されない。境界線種別が１である場合、境界線として単純な実線が描画される。境界線種別が２である場合、境界が一方向に移動された軌跡が描画される。境界線種別が３である場合、前景映像の陰が描画される。
【００４８】
なお、キーイング属性には、キーイング濃度、キーイング判別値、および境界線種別の他、キーソース信号の位置調整（オフセット）、境界のぼかし設定（％）、境界線に関する詳細設定など、キーイング合成処理に関する各種の値を含ませることができる。
【００４９】
図１０は、映像合成装置３０における入力組合せテーブル１９の一例である。図１０に示す入力組合せテーブル１９において、例えば、インデックス番号「７」に、第１の入力ライン番号「Ｌ２」と第２の入力ライン番号「Ｌ７」の組合せが対応付けられ、インデックス番号「１２」にも、第１の入力ライン番号「Ｌ２」と第２の入力ライン番号「Ｌ７」の組合せが対応付けられているように、異なるインデックス番号にそれぞれ対応する第１の入力ライン番号と第２の入力ライン番号の組合せが同一であってもよい。
【００５０】
そのような場合でも、キーイング属性記憶部３１が記憶するインデックス番号「７」に対応するキーイング属性と、インデックス番号「１２」に対応するキーイング属性とは異なるように設定することができる。
【００５１】
したがって、入力組合せテーブル１９とキーイング属性記憶部３１の記憶内容を適宜設定することにより、キーソース信号、キーフィル信号、およびキーイング属性の一部または全部を、設定されている組合せの選択肢の中から適宜選択して変更することが可能である。
【００５２】
次に、映像合成装置３０の動作について、図１１のフローチャートを参照して説明する。なお、入力ラインＬ１乃至Ｌ９には、キーソース信号またはキーフィル信号となる映像信号が供給されており、背景映像信号入力バス１３には、背景映像信号が供給されているものとする。
【００５３】
ステップＳ１１において、選択入力部１６は、キーボタン列１５からのボタン番号の通知の有無に基づいてキーボタン列１５のいずれかのボタンが押下されたか否かを判定し、いずれかのボタンが押下されたと判定するまで待機する。いずれかのボタンが押下されたと判定された場合、処理はステップＳ１２に進む。
【００５４】
例えば、キーボタン列１５の「４」番のボタンが押下されて、キーボタン列１５から選択入力部１６にボタン番号「４」が通知されたとして以降の説明を継続する。
【００５５】
ステップＳ１２において、選択入力部１６は、内蔵するボタン対応テーブル１７（図４）を参照し、キーボタン列１５から通知されたボタン番号「４」に対応するインデックス番号「４」を取得し、取得したインデックス番号「４」を制御部１８に通知する。
【００５６】
ステップＳ１３において、制御部１８は、内蔵する入力組合せテーブル１９（図９）を参照し、選択入力部１６から通知されたインデックス番号「４」に対応する第１および第２の入力ライン番号を取得する。いまの場合、第１の入力ライン番号「Ｌ４」と第２の入力ライン番号「Ｌ４」が取得される。
【００５７】
ステップＳ１４において、制御部１８は、ステップＳ１３で取得した第１の入力ライン番号に基づいてキーフィル信号選択入力バス１２をスイッチングさせ、第２の入力ライン番号に基づいてキーソース信号選択入力バス１１をスイッチングさせる。なお、キーソース信号選択入力バス１１、およびキーフィル信号選択入力バス１２のスイッチングは、映像信号の垂直帰線期間に実行させる。
【００５８】
これにより、キーソース信号選択入力バス１１から合成加工処理部１４に供給されている映像信号が、入力ラインＬ４に入力されている映像信号に切り替えられ、キーフィル信号選択入力バス１２から合成加工処理部１４に供給されている映像信号も、入力ラインＬ４に入力されている映像信号に切り替えられる。
【００５９】
ステップＳ１５において、制御部１８は、内蔵するキーイング属性記憶部３１（図８）を参照し、選択入力部１６から通知されたインデックス番号「４」に対応するキーイング属性の各値を取得して合成加工処理部１４に通知する。いまの場合、キーイング濃度「６０％」、キーイング判別値「５０％」、境界線種別「１」が取得されて通知される。
【００６０】
ステップＳ１６において、合成加工処理部１４は、キーソース信号選択入力バス１１から供給された映像信号をキーソース信号とし、キーフィル信号選択入力バス１２から供給された映像信号をキーフィル信号として、キーソース信号およびキーイング属性の値に基づき、背景映像信号入力バス１３から供給された映像信号にキーフィル信号を合成して合成映像を生成し、出力ラインから後段のディスプレイ等に出力する。処理はステップＳ１１に戻り、それ以降の処理が繰り返される。
【００６１】
なお、キーイング属性記憶部３１が記憶するキーイング属性の各値は、ユーザが任意に変更することが可能である。さらに、出力される合成映像をモニタするユーザによってリアルタイムに調整されたキーイング属性の値を、各インデックス番号に対応して自動的に記憶するようにしてもよい。このようにすれば、映像合成に対するユーザの操作性が向上する。
【００６２】
以上説明したように、映像合成装置３０によれば、ユーザが１つのボタンを１回だけ押下することにより、キーフィル信号の選択、キーソース信号の選択、およびキーイング属性の適用が同時に制御される。なお、ボタン操作により、キーフィル信号およびキーソース信号を変更することなく、キーイング属性だけを変更させることもできるので、ユーザの操作性が向上する。
【００６３】
次に、図１２は、本発明を適用した映像合成装置の第３の構成例を示している。この映像合成装置４０は、背景映像信号、キーソース信号、またはキーフィル信号となる映像信号が入力される入力ラインＬ１乃至Ｌ９、制御部５５からの制御に従ってスイッチングし、入力ラインＬ１乃至Ｌ９に入力される映像信号のうちの１つを第１合成加工処理部４７に供給するキーソース信号選択入力バス４１、制御部５５からの制御に従ってスイッチングし、入力ラインＬ１乃至Ｌ９に入力される映像信号のうちの１つを第１合成加工処理部４７に供給するキーフィル信号選択入力バス４２、および、制御部５５からの制御に従ってスイッチングし、入力ラインＬ１乃至Ｌ９に入力される映像信号のうちの１つを第１合成加工処理部４７に供給する背景映像信号選択入力バス４３から構成される。
【００６４】
また、映像合成装置４０は、制御部５５からの制御に従ってスイッチングし、第１合成加工処理部４７の出力に相当する入力ラインＬ１０を含めた入力ラインＬ１乃至Ｌ１０に入力される映像信号のうちの１つを第２合成加工処理部４８に供給するキーソース信号選択入力バス４４、制御部５５からの制御に従ってスイッチングし、入力ラインＬ１乃至Ｌ１０に入力される映像信号のうちの１つを第２合成加工処理部４８に供給するキーフィル信号選択入力バス４５、および、制御部５５からの制御に従ってスイッチングし、入力ラインＬ１乃至Ｌ１０に入力される映像信号のうちの１つを第２合成加工処理部４８に供給する背景映像信号選択入力バス４６から構成される。
【００６５】
さらに、映像合成装置４０は、制御部５５から通知される情報に従い、キーソース信号選択入力バス４１から入力される映像信号をキーソース信号とし、キーフィル信号選択入力バス４２から供給される映像信号をキーフィル信号とし、背景映像信号選択入力バス４３から供給される映像信号を背景映像信号として合成映像を生成し、入力ラインＬ１０に出力する第１合成加工処理部４７、および、制御部５５から通知される情報に従い、キーソース信号選択入力バス４４から入力される映像信号をキーソース信号とし、キーフィル信号選択入力バス４５から供給される映像信号をキーフィル信号とし、背景映像信号選択入力バス４６から供給される映像信号を背景映像信号として合成映像を生成する第２合成加工処理部４８から構成される。なお、第１合成加工処理部４７は、生成した合成映像を装置外部に出力することも可能である。
【００６６】
さらに、映像合成装置４０は、ユーザの操作を受け付ける複数のボタンより成り、押下されたボタンが配置されたボタン列を特定するボタン列情報と押下されたボタンの番号を示すボタン番号を選択入力部５３に通知する第１キーボタン列４９乃至第２背景ボタン列５２、内蔵するボタン対応テーブル５４を参照し、第１キーボタン列４９乃至第２背景ボタン列５２から通知されるボタン番号に対応するインデックス番号を取得して制御部５５に通知する選択入力部５３、および、ドライブ２０を制御して磁気ディスク２１、光ディスク２２、光磁気ディスク２３、または半導体メモリ２４に記憶されている制御用プログラムを読み出させ、制御用プログラム等に基づいて映像合成装置４０の全体を制御する制御部５５から構成される。
【００６７】
第１キーボタン列４９は、キーソース信号選択入力バス４１がキーソース信号とされる映像信号を第１合成加工処理部４７に供給する入力ラインと、キーフィル信号選択入力バス４２がキーフィル信号とされる映像信号を第１合成加工処理部４７に供給する入力ラインとの組合せを選択するとき操作される。第１背景ボタン列５０は、背景映像信号選択入力バス４３が背景映像信号とされる映像信号を第１合成加工処理部４７に供給する入力ラインを選択するとき操作される。第１キーボタン列４９と第１背景ボタン列５０は平行に配置され、それぞれのボタン列において上下に隣接するキーボタンと背景ボタンには、同一のボタン番号が付与されている。
【００６８】
第２キーボタン列５１は、キーソース信号選択入力バス４４がキーソース信号とされる映像信号を第２合成加工処理部４８に供給する入力ラインと、キーフィル信号選択入力バス４５がキーフィル信号とされる映像信号を第２合成加工処理部４８に供給する入力ラインとの組合せを選択するとき操作される。第２背景ボタン列５２は、背景映像信号選択入力バス４６が背景映像信号とされる映像信号を第２合成加工処理部４８に供給する入力ラインを選択するとき操作される。第２キーボタン列５１と第２背景ボタン列５２は平行に配置され、それぞれのボタン列において上下に隣接するキーボタンと背景ボタンには、同一のボタン番号が付与されている。
【００６９】
なお、第１キーボタン列４９乃至第２背景ボタン列５２をそれぞれ構成するボタンの数は、図１２に示すように１１個に限定されるものではなく、より多い数のボタンによって構成するようにしてもよいし、反対に、より少ない数のボタンによって構成するようにしてもよい。
【００７０】
制御部５５は、内蔵する入力組合せテーブル５６を参照して選択入力部５３から通知されるインデックス番号に対応する入力ライン番号を取得し、入力ライン番号に基づいてキーソース信号選択入力バス４１乃至背景映像信号選択入力バス４６のスイッチングを制御する。また、制御部５５は、内蔵するキーイング属性記憶部５７を参照してインデックス番号に対応するキーイング属性の値を取得し、さらに、内蔵する映像補正値記憶部５８を参照してインデックス番号に対応する映像補正値（後述）を取得し、それらの値を第１合成加工処理部４７および第２合成加工処理部４８に通知する。
【００７１】
図１３は、選択入力部５３が内蔵するボタン対応テーブル５４の一例を示している。ボタン対応テーブル５４は、第１キーボタン列４９または第１背景ボタン列５０から通知されるボタン番号に対応するインデックス番号が記録されている第１テーブルと、第２キーボタン列５１または第２背景ボタン列５２から通知されるボタン番号に対応するインデックス番号が記録されている第２テーブルから成る。例えば、ボタン番号「５」に対し、第１テーブルではインデックス番号「１１」が対応して記憶されており、第２テーブルではインデックス番号「２１」が対応して記憶されている。
【００７２】
図１４は、制御部５５が内蔵する入力組合せテーブル５６の一例を示している。入力組合せテーブル５６には、選択入力部５３から通知されるインデックス番号に対応する第１および第２の入力ライン番号が記録されている。例えば、インデックス番号「８」には、第１の入力ライン番号「Ｌ２」と第２の入力ライン番号「Ｌ８」が対応付けて記録されており、インデックス番号「５１」には、第１の入力ライン番号「Ｌ１０」と第２の入力ライン番号「Ｌ７」が対応付けて記録されている。
【００７３】
制御部５５が内蔵するキーイング属性記憶部５７は、上述したキーイング属性記憶部３１（図７）と同様に、図８に示すように各インデックス番号に対応して、予め設定されたキーイング属性（キーイング濃度、キーイング判別値、境界線種別等）の値を記憶する。
【００７４】
制御部５５が内蔵する映像補正値記憶部５８は、各インデックス番号に対応して予め設定されている映像補正値（ブラックバランス調整値、ホワイトバランス調整値、およびガンマ補正値）を記憶する。
【００７５】
映像補正値のブラックバランス調整値としては、映像のRGB成分毎に、０％レベルの入力に対する出力レベルの設定値（例えば、−１００％乃至１００％の値）が記憶されている。ホワイトバランス調整値としては、映像のRGB成分毎に、１００％レベルの入力に対する出力レベルの設定値（例えば、０％乃至２００％の値）が記憶されている。ガンマ補正値としては、映像のRGB成分毎に、輝度信号に対するオフセットの設定値（例えば、−１００％乃至１００％の値）が記憶されている。
【００７６】
なお、映像信号補正値記憶部５８に、ブラックバランス調整値、ホワイトバランス調整値、およびガンマ補正値以外のパラメータを映像補正値として記憶させるようにしてもよい。
【００７７】
次に、映像合成装置４０の動作について、図１５のフローチャートを参照して説明する。なお、入力ラインＬ１乃至Ｌ９には、背景映像信号、キーソース信号、またはキーフィル信号となる映像信号が供給されており、第１合成加工処理部４７および第２合成加工処理部４８は、それぞれ、入力されている映像信号を用いて合成画像を生成し、後段に出力しているものとする。
【００７８】
ステップＳ２１において、選択入力部５３は、第１キーボタン列４９乃至第２背景ボタン列５２からのボタン情報の通知の有無に基づいて第１キーボタン列４９乃至第２背景ボタン列５２のいずれかのボタンが押下されたか否かを判定し、いずれかのボタンが押下されたと判定するまで待機する。いずれかのボタンが押下されたと判定された場合、処理はステップＳ２２に進む。
【００７９】
例えば、第２キーボタン列５１の「１１」番のボタンが押下されて、第２キーボタン列５１から選択入力部１６に対して、第２キーボタン列５１を示すボタン列情報とボタン番号「１１」が通知されたとして以降の説明を継続する。
【００８０】
ステップＳ２２において、選択入力部５３は、図１３に示した内蔵するボタン対応テーブル５４を参照し、第１キーボタン列４９乃至第２背景ボタン列５２から通知されたボタン列情報とボタン番号に対するインデックス番号を取得して、ボタン列情報とともに制御部５５に出力する。
【００８１】
いまの場合、ボタン対応テーブル５４の第２テーブルが参照され、ボタン番号「１１」に対応するインデックス番号「５１」が取得されて、第２キーボタン列５１を示すボタン列情報とともに制御部５５に通知される。
【００８２】
ステップＳ２３において、制御部２３は、選択入力部５３から通知された操作されたボタン列情報が第１背景ボタン列５０または第２背景ボタン列５２を示すか否かに基づき、背景映像の切替が指示されたか否かを判定する。ボタン列情報が第１背景ボタン列５０または第２背景ボタン列５２を示す情報のいずれでもない場合、背景映像の切替が指示されないと判定されて、処理はステップＳ２４に進む。反対に、ボタン列情報が第１背景ボタン列５０または第２背景ボタン列５２を示す場合、背景映像の切替が指示されたと判定されて、処理はステップＳ２８に進む。
【００８３】
いまの場合、ボタン列情報は第２キーボタン列５１を示すので、背景映像の切替が指示されないと判定されて、処理はステップＳ２４に進む。
【００８４】
ステップＳ２４において、制御部５５は、図１４に示した内蔵する入力組合せテーブル５６を参照し、選択入力部５３から通知されたインデックス番号に対応する第１および第２の入力ライン番号を取得する。いまの場合、インデックス番号「５１」に対応する第１の入力ライン番号として「Ｌ１０」が取得され、第２の入力ライン番号として「Ｌ７」が取得される。
【００８５】
ステップＳ２５において、制御部５５は、ボタン列情報、並びに第１および第２の入力ライン番号に基づいて、キーソース信号選択入力バス４１、キーフィル信号選択入力バス４２、キーソース信号選択入力バス４４、およびキーフィル信号選択入力バス４５を適宜スイッチングさせる。これにより、いまの場合、キーフィル信号選択入力バス４５から第２合成加工処理部４８に供給されている映像信号が、入力ラインＬ１０に入力されている映像信号（第１合成加工処理部４７の出力）に切り替えられ、キーソース信号選択入力バス４４から第２合成加工処理部４８に供給されている映像信号が、入力ラインＬ７に入力されている映像信号に切り替えられる。
【００８６】
ステップＳ２６において、制御部５５は、内蔵するキーイング属性記憶部５７を参照し、選択入力部５３から通知されたインデックス番号に対応するキーイング属性の各値を取得して、第１合成加工処理部４７または第２合成加工処理部４８に通知する。いまの場合、インデックス番号「５１」に対応するキーイング属性の各値が取得されて第２合成加工処理部４８に通知される。
【００８７】
ステップＳ２７において、第１合成加工処理部４７は、キーソース信号選択入力バス４１から供給された映像信号をキーソース信号とし、キーフィル信号選択入力バス４２から供給された映像信号をキーフィル信号として、キーソース信号に基づいて背景映像信号選択入力バス４３から入力されている映像信号にキーフィル信号を合成して合成映像を生成し、出力ラインから入力ラインｌ０に出力する。
【００８８】
一方、第２合成加工処理部４８は、キーソース信号選択入力バス４４から供給された映像信号をキーソース信号とし、キーフィル信号選択入力バス４５から供給された映像信号をキーフィル信号として、制御部５５から通知されたキーイング属性に従い、キーソース信号に基づき、背景映像信号選択入力バス４６から入力されている映像信号にキーフィル信号を合成して合成映像を生成し、出力ラインから後段のディスプレイ等に出力する。処理はステップＳ２１に戻り、それ以降の処理が繰り返される。
【００８９】
例えば、ステップＳ２１において、第１背景ボタン列５０の「１」番のボタンが押下されて、第１背景ボタン列５０から選択入力部１６に、第１背景ボタン列５０を示すボタン列情報とボタン番号「１」が通知されたとして以降の説明を継続する。
【００９０】
ステップＳ２２においては、いまの場合、ボタン対応テーブル５４の第１テーブルが参照され、ボタン番号「１」に対応するインデックス番号「１」が取得されて、第１背景ボタン列５０を示すボタン列情報とともに制御部５５に通知される。
【００９１】
ステップＳ２３においては、いまの場合、ボタン列情報が第１背景ボタン列５０を示すので、背景映像の切替が指示された判定されて、処理はステップＳ２８に進む。
【００９２】
ステップＳ２８において、制御部５５は、図１４に示した内蔵する入力組合せテーブル５６を参照し、選択入力部５３から通知されたインデックス番号に対応する第１の入力ライン番号を取得する。いまの場合、インデックス番号「１」に対応する第１の入力ライン番号として「Ｌ１」が取得される。
【００９３】
ステップＳ２９において、制御部５５は、ボタン列情報、および第１の入力ライン番号に基づいて、背景映像信号選択入力バス４３、または背景映像信号選択入力バス４６をスイッチングさせる。これにより、いまの場合、背景映像信号選択入力バス４３から第１合成加工処理部４７に供給される映像信号が、入力ラインＬ１に入力されている映像信号に切り替えられる。
【００９４】
ステップＳ２６において、制御部５５は、内蔵する映像補正値記憶部５８を参照し、選択入力部５３から通知されたインデックス番号に対応する映像補正値を取得して、第１合成加工処理部４７または第２合成加工処理部４８に通知する。いまの場合、インデックス番号「１」に対応する映像補正値が取得されて第１合成加工処理部４７に通知される。
【００９５】
ステップＳ２７においては、第１合成加工処理部４７は、キーソース信号選択入力バス４１から供給された映像信号をキーソース信号とし、キーフィル信号選択入力バス４２から供給された映像信号をキーフィル信号として、映像補正値に従い、キーソース信号に基づいて背景映像信号選択入力バス４３から入力されている映像信号にキーフィル信号を合成して合成映像を生成し、出力ラインから入力ラインｌ０に出力する。
【００９６】
一方、第２合成加工処理部４８は、キーソース信号選択入力バス４４から供給された映像信号をキーソース信号とし、キーフィル信号選択入力バス４５から供給された映像信号をキーフィル信号として、キーソース信号に基づき、背景映像信号選択入力バス４６から入力されている映像信号にキーフィル信号を合成して合成映像を生成し、出力ラインから後段のディスプレイ等に出力する。
【００９７】
なお、キーソース信号選択入力バス４１乃至背景映像信号選択入力バス４６のスイッチングは、映像信号の垂直帰線期間に実行させる。
【００９８】
また、上述した説明では、映像補正値は背景映像に対してだけ適用するようにしたが、前景映像（キーフィル信号）に対しても適用するようにしてもよい。
【００９９】
以上説明したような映像合成装置４０の動作により、背景映像に対して２種類の前景映像を合成することができる。図１６を参照して具体的に説明する。
【０１００】
例えば、第１合成加工処理部４７に対して、キーソース信号選択入力バス４１からは図１６（Ｂ）に示す映像信号が、キーフィル信号選択入力バス４２からは図１６（Ｃ）に示す映像信号が、背景映像信号選択入力バス４３からは図１６（Ａ）に示す映像信号が供給されるようにボタン列を操作し、第２合成加工処理部４８に対して、キーソース信号選択入力バス４４からは図１６（Ｅ）に示す映像信号が、キーフィル信号選択入力バス４５からは図１６（Ｆ）に示す映像信号が、背景映像信号選択入力バス４６からは第１合成加工処理部４７が生成した図１６（Ｄ）に示す合成映像信号が供給されるようにボタン列を操作すれば、第２合成加工処理部４８からは、図１６（Ｇ）に示す合成映像が出力される。
【０１０１】
以上説明したように、映像合成装置４０の制御部５５は、内蔵する入力組合せテーブル５６に記憶されている第１の入力ライン番号を、第１キーボタン列４９または第２キーボタン列５１が操作された場合にはキーフィル信号選択入力バス４２，４５のスイッチングに用い、第１背景ボタン列５０または第２背景ボタン列５２が操作された場合には背景映像信号選択入力バス４３，４６のスイッチングに用いる。
【０１０２】
したがって、ユーザは、第１キーボタン列４９と第１背景ボタン列５０、および、第２キーボタン列５１と第２背景ボタン列５２においてそれぞれ上下に隣接するキーボタンと背景ボタンに対し、同じ映像を選択するボタンであると認識することができ、かつ、両ボタンの用途の違いは、同一の映像信号を背景映像として用いるか、または前景映像として用いるかの違いだけであると認識することができる。このようにボタン列を配置することにより、ユーザの前景映像と背景映像の選択操作が容易となる。
【０１０３】
なお、映像合成装置４０には、第１キーボタン列４９乃至第２背景ボタン列５２および選択入力部５３の組を、複数設けるようにしてもよい。
【０１０４】
第１キーボタン列４９乃至第２背景ボタン列５２および選択入力部５３の組を複数設け、それらを別々の場所に配置すれば、異なるオペレータが同時に操作することが可能となる。
【０１０５】
例えば、入力ラインＬ１乃至Ｌ９の一部に、撮影スタジオに設置されたビデオカメラの映像出力を供給し、その他の入力ラインに、別の部屋に設置された字幕文字列の映像を生成する装置やアニメーション映像を生成する装置の映像出力を供給する場合、撮影スタジオと当該他の部屋のそれぞれに、第１キーボタン列４９乃至第２背景ボタン列５２および選択入力部５３の組を配置し、選択入力部５３が内蔵するボタン対応テーブル７８の内容をそれぞれ適切に設定するようにすれば、当該他の部屋においては、第１合成加工処理部４７の映像出力をモニタしながらスイッチングを実行することが可能となり、一方の撮影スタジオにおいては、第２合成加工処理部４８の映像出力をモニタリングしながらスイッチングを行うことが可能となる。
【０１０６】
また、第１キーボタン列４９乃至第２背景ボタン列５２および選択入力部５３をそれぞれ複数設けた場合、複数の選択入力部５３がそれぞれボタン対応テーブル５４を内蔵する必要はなく、複数の選択入力部５３のうち、１つの選択入力部５３だけがボタン対応テーブル５４を内蔵するようにして、それを複数の選択入力部５３で共用するようにしてもよい。複数の選択入力部５３は、LAN等によって相互に接続するようにする。
【０１０７】
次に、図１７は、本発明を適用した映像合成装置の第４の構成例を示している。この映像合成装置７０は、背景映像信号、キーソース信号、またはキーフィル信号となる映像信号が入力される入力ラインＬ１乃至Ｌ９、制御部８２からの制御に従ってスイッチングし、入力ラインＬ１乃至Ｌ９に入力される映像信号のうちの１つを合成加工処理部７５に供給するキーソース信号選択入力バス７１、制御部８２からの制御に従ってスイッチングし、入力ラインＬ１乃至Ｌ９に入力される映像信号のうちの１つを合成加工処理部７５に供給するキーフィル信号選択入力バス７２、並びに、制御部８２からの制御に従ってスイッチングし、入力ラインＬ１乃至Ｌ９に入力される映像信号のうちの１つを合成加工処理部７５にそれぞれ供給する第１背景映像信号選択入力バス７３および第２背景映像信号選択入力バス７４から構成される。
【０１０８】
また、映像合成装置７０は、背景映像が異なる２種類の合成映像を生成する合成加工処理部７５、ユーザの操作を受け付ける複数のボタンより成り、押下されたボタンが配置されたボタン列を特定するボタン列情報と押下されたボタンの番号を示すボタン番号を選択入力部７７−１に通知するボタン列７６−１、内蔵するボタン対応テーブル７８−１（図３のボタン対応テーブル１７と同様のもの）を参照し、ボタン列７６−１から通知されるボタン番号に対応するインデックス番号を取得して制御部８２に通知する選択入力部７７−１、同様になされているボタン列７６−２および選択入力部７７−２、ドライブ２０を制御して磁気ディスク２１、光ディスク２２、光磁気ディスク２３、または半導体メモリ２４に記憶されている制御用プログラムを読み出させ、制御用プログラム等に基づいて映像合成装置７０の全体を制御する制御部８２、並びに、入力される複数の映像信号のうちの２種類の映像信号を入力ラインＬ１，Ｌ２に供給するマトリクススイッチャ８４から構成される。
【０１０９】
合成加工処理部７５は、制御部８２からの制御に従い、キーソース信号選択入力バス７１から入力される映像信号をキーソース信号とし、キーフィル信号選択入力バス７２から供給される映像信号をキーフィル信号とし、第１背景映像信号選択入力バス７３から供給される映像信号を第１の背景映像信号とし、第１の背景映像信号にキーフィル信号を合成して第１の合成映像信号を生成する。また、第２背景映像信号選択入力バス７４から供給される映像信号を第２の背景映像信号とし、第２の背景映像信号にキーフィル信号を合成して第２の合成映像信号を生成する。
【０１１０】
さらに、合成加工処理部７５は、２つの出力ライン（プログラム出力ラインおよびプレビュ出力ライン）を有しており、２つの出力ラインのうち、一方から第１の合成映像信号を出力し、他方から第２の合成映像信号を出力することができる。また、合成加工処理部７５は、例えば、２つの出力ラインのうち、一方から第２の合成映像信号（または、第１の合成映像信号）を出力し、他方からの出力を第１の合成映像信号から第２の合成映像信号に（または、第２の合成映像信号から第１の合成映像信号）、徐々に切り替えることができる。
【０１１１】
なお、出力する合成映像信号を切り替える動作は、図示せぬ専用レバーやマウス８０−１を操作することにより、ユーザが手動でその切替を制御するようにしてもよい。または、切替速度を指定して自動的に切替させてもよい。
【０１１２】
選択入力部７７−１には、ボタン対応テーブル７８−１などを設定するためのグラフィカルユーザインタフェース（図２０乃至図２２を参照して後述する）に対するユーザの操作を受け付けるキーボード７９−１、およびマウス８０−１、並びに、グラフィカルユーザインタフェース（以下、GUIと記述する）を表示するディスプレイ８１−１が接続されている。同様に、選択入力部７７−２には、図示せぬキーボード等が接続されている。
【０１１３】
制御部８２は、選択入力部７７−１，７７−２から通知されるインデックス番号に対応する第１および第２の入力ライン番号を内蔵する入力組合せテーブル８３（図３の入力組合せテーブル１９と同様のもの）を参照して取得し、ボタン列情報と第１および第２の入力ライン番号に基づいてキーソース信号選択入力バス７１乃至第２背景映像信号選択入力バス７４のスイッチングを制御する。
【０１１４】
具体的には、ボタン列情報がキーボタン列９２（図１８）を示す場合、第１の入力ライン番号に対応してキーフィル信号選択入力バス７２を、第２の入力ライン番号に対応してキーソース信号選択入力バス７１をスイッチングさせる。ボタン列情報が第１背景ボタン列９３（図１８）を示す場合、第１の入力ライン番号に対応して第１背景映像信号選択入力バス７３をスイッチングさせる。また、ボタン列情報が第２背景ボタン列９４（図１８）を示す場合、第１の入力ライン番号に対応して第２背景映像信号選択入力バス７４をスイッチングさせる。
【０１１５】
マトリクススイッチャ８４は、制御部８２からの制御に従い、入力ラインＭＬ１乃至ＭＬ９９に入力される最大９９種類の映像信号のうち、２種類の映像信号をキーソース信号選択入力バス７１乃至第２背景映像信号選択入力バス７４に接続されている入力ラインＬ１，Ｌ２に供給する。なお、マトリクススイッチャ８４の入力ラインの数は９９に限定されるものではない。
【０１１６】
制御部８２はまた、インデックス番号に対応する第１または第２の入力ライン番号がマトリクススイッチャ８４の入力ラインＭＬ１乃至ＭＬ９９を示す場合、適宜、キーソース信号選択入力バス７１乃至第２背景映像信号選択入力バス７４を入力ラインＬ１またはＬ２にスイッチングさせるとともに、マトリクススイッチャ８４のスイッチングも制御する。
【０１１７】
図１８は、ボタン列７６−１のボタン配置を示している。文字列表示器列９１は、図において下方に配置されたボタンのボタン番号に対応するインデックス番号に対応付けられた文字情報を表示する。文字情報は制御部８２に記憶されており、ユーザが文字情報を設定することができる。
【０１１８】
なお、文字情報を入力ライン番号に対応付けて記憶させるようにしてもよい。その場合、ボタンのボタン番号に対応するインデックス番号に対応する第１の入力ライン番号に対応付けられた文字情報、またはインデックス番号に対応する第２の入力ライン番号に対応付けられた文字情報のいずれかを表示するようにする。
【０１１９】
キーボタン列９２は、キーソース信号選択入力バス７１がキーソース信号とされる映像信号を合成加工処理部７５に供給する入力ラインと、キーフィル信号選択入力バス７２がキーフィル信号とされる映像信号を合成加工処理部７５に供給する入力ラインとの組合せを選択するとき操作される。第１背景ボタン列９３は、第１背景映像信号選択入力バス７３が背景映像信号とされる映像信号を合成加工処理部７５に供給する入力ラインを選択するとき操作される。第２背景ボタン列９４は、第２背景映像信号選択入力バス７４が背景映像信号とされる映像信号を合成加工処理部７５に供給する入力ラインを選択するとき操作される。
【０１２０】
例えば、合成加工処理部７５のプログラム出力ラインからの出力を徐々に切り替える場合においては、第１背景ボタン列９３のボタンを押下して切替前の背景映像を指定し、次に、第２背景ボタン列９４のボタンを押下して切替後の背景映像を予め指定する。この切替後の背景映像はプレビュ出力ラインの映像によってモニタすることができる。なお、次に切り替える背景映像も第２背景ボタン列９４を用いて選択できるように、切替が終了した時点において、第２背景ボタン列９４で選択していたボタン番号を第１背景ボタン列９３で選択するようにしてもよい。
【０１２１】
ボタン列７６−１において、キーボタン列９２、第１背景ボタン列９３、および第２背景ボタン列９４は、平行に配置されており、それぞれのボタン列において上下に隣接するボタンには、同一のボタン番号が付与されている。したがって、上下に隣接するボタンは、同一のインデックス番号に対応することになる。このように、同一の映像信号を背景映像信号に用いる場合に操作するボタンと、キーフィル信号に用いる場合に操作するボタンが縦方向に並べて配置されているので、ユーザは容易に所望の信号を選択することができる。
【０１２２】
ボタン列７６−１のキーボタン列９２、第１背景ボタン列９３、および第２背景ボタン列９４をそれぞれ構成する各ボタンは、LED(Light-Emitting Diode)等の発光デバイスを内蔵しており、押下されている状態であるとき、選択入力部７７−１からの制御に対応して点灯する。
【０１２３】
なお、ボタン列７６−２を構成するボタンが押下された場合においても、それに連動してボタン列７６−１を構成するボタンのうち、一致するボタンのLEDが点灯するようになされている。ここで、「一致するボタン」とは、押下された場合、同一の結果となるボタンを指している。
【０１２４】
そのように、ボタン列７６−２に対する操作に連動してボタン列７６−１を構成するボタンを点灯させる動作について、図１９のフローチャートを参照して説明する。
【０１２５】
ステップＳ４１において、制御部８２は、選択入力部７７−２からのインデックス番号およびボタン列情報の通知の有無に基づいてボタン列７６−２のいずれかのボタンが押下されたか否かを判定し、いずれかのボタンが押下されたと判定するまで待機する。いずれかのボタンが押下されたと判定された場合、処理はステップＳ４２に進む。ステップＳ４２において、制御部８２は、選択入力部７７−２から通知されたインデックス番号およびボタン列情報を選択入力部７７−１に通知する。
【０１２６】
ステップＳ４３において、選択入力部７７−１は、内蔵するボタン対応テーブル７８−１に、制御部８２から通知されたインデックス番号に対応する情報が存在するか否かを判定する。内蔵するボタン対応テーブル７８−１に制御部８２から通知されたインデックス番号に対応する情報が存在すると判定された場合、処理はステップＳ４４に進む。
【０１２７】
ステップＳ４４において、選択入力部７７−１は、内蔵するボタン対応テーブル７８−１を参照して制御部８２から通知されたインデックス番号に対応するボタン番号を取得し、ボタン列情報とともにボタン列７６−１に通知する。ボタン列７６−１は、選択入力部７７−１から通知されたボタン列情報に対応するボタン列を構成するボタンであって、かつ、選択入力部７７−１から通知されたボタン番号に対応するボタンだけを点灯する。ステップＳ４１に戻り、それ以降の処理が繰り返される。
【０１２８】
ステップＳ４３において、内蔵するボタン対応テーブル７８−１に制御部８２から通知されたインデックス番号に対応する情報が存在しないと判定された場合、処理はステップＳ４５に進む。
【０１２９】
ステップＳ４５において、選択入力部７７−１は、制御部８２から通知されたボタン列情報をボタン列７６−１に通知する。ボタン列７６−１は、選択入力部７７−１から通知されたボタン列情報に対応するボタン列を構成する全てのボタンを消灯する。ステップＳ４１に戻り、それ以降の処理が繰り返される。
【０１３０】
なお、ボタン列７６−１に対する操作に連動してボタン列７６−２を構成するボタンを点灯させる動作も同様であるので、その説明は省略する。
【０１３１】
また、マトリクススイッチャ８４を切り替えた場合にも同様に、該当するボタンを点灯させることができる。
【０１３２】
以上説明したように、映像合成装置７０では、インデックス番号とボタン列情報を用いて、ボタン列７６−１，７６−２をそれぞれ構成するボタンの点灯を連動させているので、その点灯、消灯が正確に実行され、さらに、映像合成装置７０が、図１２の映像合成装置４０のようにキーイング属性値や映像補正値を用いた場合においても、ボタン列７６−１，７６−２をそれぞれ構成するボタンの点灯を連動させることができる。
【０１３３】
次に、任意のタイミングにおいて、キーソース信号選択入力バス７１乃至第２背景映像信号選択入力バス７４、およびマトリクススイッチャ８４のスイッチングの状態を記憶し、その後、任意のタイミングにおいて、記憶したスイッチングの状態を再現する映像合成装置７０の動作について説明する。
【０１３４】
映像合成装置７０は、ユーザからの状態記憶が指示された場合、キーソース信号選択入力バス７１乃至第２背景映像信号選択入力バス７４、およびマトリクススイッチャ８４のスイッチングの状態として、それらのスイッチングを制御したときのインデックス番号を記憶する。その後、ユーザから状態再現が指示された場合、先に記憶したインデックス番号を読み出し、そのインデックス番号に基づいて、キーソース信号選択入力バス７１乃至第２背景映像信号選択入力バス７４、およびマトリクススイッチャ８４のスイッチングを再現する。このようにスイッチングが再現された場合においても、インデックス番号に基づいて、ボタン列７６−１を点灯させることができる。
【０１３５】
次に、ボタン対応テーブル７８−１や入力組合せテーブル８３に記憶されている情報を設定するとき操作するGUIについて、図２０乃至図２２を参照して説明する。
【０１３６】
図２０は、入力組合せテーブル８３に記憶される情報を設定する画面の表示例である。このGUIにおいては、インデックス番号を選択し、それに対応させる第１の入力ライン番号（Vfill信号）と第２の入力ライン番号（Ksrc信号）を選択する。入力ライン番号には、通常の入力ラインＬ１乃至Ｌ９（Primary入力）の他、マトリクススイッチャ８４の入力ラインＬＭ１乃至ＬＭ９９（マトリクス）や、合成加工処理部７５が複数ある場合には、任意の合成加工処理部７５の出力（リエントリ）を指定することができる。また、各インデックス番号には、表示名称の文字列を記憶させることができる。
【０１３７】
図２１は、図２０に示した画面を用い、入力組合せテーブル８３に設定された情報を示す画面の表示例である。当該画面には、各インデックス番号に対応して、第１の入力ライン番号（Vfill信号）、第２の入力ライン番号（Ksrc信号）、および表示名称が表示される。
【０１３８】
図２２は、ボタン対応テーブル７８−１に記憶させる情報を設定する画面の表示例を示している。この表示例では、ボタン番号「７」に対応付けるインデックス番号を選択する。例えば、選択したインデックス番号が既に他のボタン番号に対応付けられている場合、そのボタン番号が既アサインボタン番号として表示される。
【０１３９】
ところで、映像合成装置７０に、連動情報を持たせ、キーソース信号選択入力バス７１乃至第２背景映像信号選択入力バス７４のうちの１つのバスをスイッチングしたとき、それに連動して他のバスをスイッチングさせるようにしてもよい。これにより、例えば、背景映像信号と、キーソース信号およびキーフィル信号の切替動作を連動させること等ができる。また、複数の合成加工処理部７５を備えていれば、任意の合成加工処理部７５の出力を他の合成加工処理部７５で使用している場合に同時に２つの合成加工処理部５の入力選択を切り替えることで、自由度の高い操作が可能となる。
【０１４０】
なお、連動情報は、連動元と連動先のインデックス番号を対応付けて記憶する。映像合成装置７０では、以下、キーソース信号選択入力バス７１とキーフィル信号選択入力バス７２の組をキー列と称し、第１背景映像信号選択入力バス７３、および第２背景映像信号選択入力バス７４を背景列と称する。さらに、キー列と背景列をあわせて列と称し、連動元をリンク元列、連動先をリンク先列と称する。
【０１４１】
連動は、任意のインデックス番号に対応してリンク元列でスイッチングが行われた場合、それと同時にリンク先列でもスイッチングが行われる。
【０１４２】
図２３は、リンクを設定する画面の表示例を示している。この画面においては、１つのリンク元列に対し、複数の連動先を設定することができる。１つのリンク元列に対する複数の連動先をリンクグループと称する。リンクグループは、複数（例えば、５）設けられている。
【０１４３】
図２４は、リンク先列を設定する画面の表示例を示している。リンク先列は、複数の合成加工処理部のうちの１つを特定するME番号、列指定、およびテーブル番号を用いて設定する。ここで、テーブル番号は、インデックス番号の対応関係の情報を記憶するリンクテーブルを特定する番号である。
【０１４４】
図２５は、リンクテーブルが記憶する情報を示す画面の表示例を示している。画面において、左右に並べて表示されているインデックス番号が、リンク元列のインデックス番号と、それに連動するリンク先列のインデックス番号である。インデックス番号の隣には、表示名称も表示される。
【０１４５】
図２６は、リンクテーブルが記憶する情報を設定する画面の表示例を示している。この画面において、リンク元列のインデックス番号を選択し、それに連動させるリンク先列のインデックス番号を選択する。
【０１４６】
このように、リンク元列とリンク先列の対応関係をインデックス番号を用いて設定することにより、キー列についてはキーソース信号選択入力バス７１とキーフィル信号選択入力バス７２を同時に制御することを前提として、それをリンク元列に、また反対に、リンク先列に設定することができる。よって、映像作成の意図に沿った操作を容易に実行することができる。
【０１４７】
なお、リンクは、キーイング属性の設定や映像補正値の適用と同時に設定することができる。また、リンクは、インデックス番号を用いて設定されるので、ボタンを点灯させることにも対応することができる。
【０１４８】
ところで、映像合成装置７０の合成加工処理部７５には、１組のキー列、すなわち、キーソース信号選択入力バス７１とキーフィル信号選択入力バス７２が接続されており、キーソース信号とキーフィル信号を１組だけ供給するようになされているが、キー列を複数設けて、合成加工処理部７５に対し、キーソース信号とキーフィル信号の組を複数供給するようにしてもよい。
【０１４９】
例えば、キー列を３組設けて合成加工処理部７５に対し、キーソース信号とキーフィル信号を３組供給するようにする。
【０１５０】
そのような場合においても、インデックス番号を使用して複数のキー列をそれぞれスイッチングさせることができる。
【０１５１】
図２７は、キー列を３組設けた場合に対応するボタン列７６−１のボタン配置の例を示している。このボタン配置において、第１キーボタン列９２−１に対する操作は、第１番目のキー列のスイッチングを制御する。第２キーボタン列９２−２に対する操作は、第２番目のキー列のスイッチングを制御する。第３キーボタン列９２−３に対する操作は、第３番目のキー列のスイッチングを制御する。
【０１５２】
このように第１キーボタン列９２−１乃至第３キーボタン列９２−３を設けた場合においても、縦方向に並ぶ５個のボタンには同じボタン番号が付与されて、同一のインデックス番号に変換される。
【０１５３】
なお、第１キーボタン列９１−１乃至第３キーボタン列９２−３を設ける代わりに、図１８に示したボタン列７６−１の配置に、キーボタン列９２の操作対象を第１番目のキー列乃至第３番目のキー列に切り替えるための切替スイッチを追加して設けるようにしてもよい。
【０１５４】
次に、映像合成装置７０においては、ボタン対応テーブル７８−１を選択入力部７７−１に内蔵させていたが、ボタン対応テーブル７８−１を制御部８２に内蔵するようにしてもよい。なお、映像合成装置１０，３０，４０についても同様である。
【０１５５】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１５６】
この記録媒体は、図３に示すように、コンピュータとは別に、ユーザにプログラムを提供するために配布される、プログラムが記録されている磁気ディスク２１（フロッピディスクを含む）、光ディスク２２（CD-ROM(Compact Disc-Read Only Memory)、DVD(Digital Versatile Disc)を含む）、光磁気ディスク２３（ＭＤ(Mini Disc)を含む）、もしくは半導体メモリ２４などよりなるパッケージメディアにより構成されるだけでなく、コンピュータに予め組み込まれた状態でユーザに提供される、プログラムが記録されているROMやハードディスクなどで構成される。
【０１５７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１５８】
【発明の効果】
以上のように、本発明の画像処理装置および方法、並びに記憶媒体のプログラムによれば、ユーザの操作が受け付けられて対応するボタン番号が発生され、第１の対応テーブルが参照されてボタン番号に対応するインデックス番号が発生され、第２の対応テーブルが参照されてインデックス番号に対応する第１および第２の供給情報が取得され、第１の供給情報に従って第１の選択処理が制御され、第２の供給情報に従って第２の選択処理が制御されようにしたので、数多くの選択肢の中からキーフィル信号とキーソース信号の組合せを容易な操作で選択することが可能となる。
【図面の簡単な説明】
【図１】キーイング合成処理を説明するための図である。
【図２】キーイング合成処理を説明するための図である。
【図３】本発明の一実施の形態である映像合成装置１０の構成例を示すブロック図である。
【図４】ボタン対応テーブル１７に記憶されている情報の一例を示す図である。
【図５】入力組合せテーブル１９に記憶されている情報の一例を示す図である。
【図６】映像合成装置１０の動作を説明するフローチャートである。
【図７】本発明の一実施の形態である映像合成装置３０の構成例を示すブロック図である。
【図８】キーイング属性記憶部３１に記憶されている情報の一例を示す図である。
【図９】映像合成装置３０のキーイング合成処理を説明するための図である。
【図１０】入力組合せテーブル１９に記憶されている情報の一例を示す図である。
【図１１】映像合成装置３０の動作を説明するフローチャートである。
【図１２】本発明の一実施の形態である映像合成装置４０の構成例を示すブロック図である。
【図１３】ボタン対応テーブル５４に記憶されている情報の一例を示す図である。
【図１４】入力組合せテーブル５６に記憶されている情報の一例を示す図である。
【図１５】映像合成装置４０の動作を説明するフローチャートである。
【図１６】映像合成装置４０のキーイング合成処理を説明するための図である。
【図１７】本発明の一実施の形態である映像合成装置７０の構成例を示すブロック図である。
【図１８】ボタン列７６−１のボタン配置の一例を示す図である。
【図１９】映像合成装置４０の動作を説明するフローチャートである。
【図２０】入力組合せテーブル７８−１を設定する画面の表示例を示す図である。
【図２１】入力組合せテーブル７８−１が記憶する情報を示す画面の表示例を示す図である。
【図２２】ボタン対応テーブル７８−１を設定する画面の表示例を示す図である。
【図２３】リンクグループを設定する画面の表示例を示す図である。
【図２４】リンク先列を設定する画面の表示例を示す図である。
【図２５】リンクテーブルが記憶する情報を示す画面の表示例を示す図である。
【図２６】リンク元列とリンク先列の対応関係を設定する画面の表示例を示す図である。
【図２７】ボタン列７６−１のボタン配置の一例を示す図である。
【符号の説明】
１０  映像合成装置，  １１  キーソース信号選択入力バス，  １２  キーフィル信号選択入力バス，  １３  背景映像信号入力バス，  １４  合成加工処理部，  １５  キーボタン列，  １６  選択入力部，  １７  ボタン対応テーブル，  １８  制御部，  １９  入力組合せテーブル，  ２０  ドライブ，  ２１  磁気ディスク，  ２２  光ディスク，  ２３  光磁気ディスク，  ２４  半導体メモリ，  ３０  映像合成装置，  ３１  キーイング属性記憶部，  ４０  映像合成装置，  ４１  キーソース信号選択入力バス，  ４２  キーフィル信号選択入力バス，  ４３  背景映像信号選択入力バス，  ４４  キーソース信号選択入力バス，  ４５  キーフィル信号選択入力バス，  ４６  背景映像信号選択入力バス，  ４７  第１合成加工処理部，  ４８  第２合成加工処理部，  ４９  第１キーボタン列，  ５０  第１背景ボタン列，  ５１  第２キーボタン列，  ５２  第２背景ボタン列，  ５３  選択入力部，  ５４  ボタン対応テーブル，  ５５  制御部，  ５６  入力組合せテーブル，  ５７  キーイング属性記憶部，５８  映像補正値記憶部，  ７０  映像合成装置，  ７１  キーソース信号選択入力バス，  ７２  キーフィル信号選択入力バス，  ７３  第１背景映像信号選択入力バス，  ７４  第２背景映像信号選択入力バス，  ７５  合成加工処理部，  ７６  ボタン列，  ７７  選択入力部，  ７８  ボタン対応テーブル，  ７９  キーボード，  ８０  マウス，  ８１  ディスプレイ，  ８２  制御部，８３  入力組合せテーブル，  ８４  マトリクススイッチャ，９１  文字表示器列，  ９２  キーボタン列，  ９３  第１背景ボタン列，  ９４  第２背景ボタン列
【図１】
0004465871.tif 000002
【図２】
0004465871.tif 000003
【図３】
0004465871.tif 000004
【図４】
0004465871.tif 000005
【図５】
0004465871.tif 000006
【図６】
0004465871.tif 000007
【図７】
0004465871.tif 000008
【図８】
0004465871.tif 000009
【図９】
0004465871.tif 000010
【図１０】
0004465871.tif 000011
【図１１】
0004465871.tif 000012
【図１２】
0004465871.tif 000013
【図１３】
0004465871.tif 000014
【図１４】
0004465871.tif 000015
【図１５】
0004465871.tif 000016
【図１６】
0004465871.tif 000017
【図１７】
0004465871.tif 000018
【図１８】
0004465871.tif 000019
【図１９】
0004465871.tif 000020
【図２０】
0004465871.tif 000021
【図２１】
0004465871.tif 000022
【図２２】
0004465871.tif 000023
【図２３】
0004465871.tif 000024
【図２４】
0004465871.tif 000025
【図２５】
0004465871.tif 000026
【図２６】
0004465871.tif 000027
【図２７】
0004465871.tif 000028